(57)【要約】【課題】コンクリートの硬化、収縮に起因する押し上げ現象を抑制し、そのため調整した天端レベルを正確に維持することが可能な天端出し補助具を提供する。【解決手段】棒状の本体１の先端に先細部４が形成された天端出し補助具において、さらに上記本体１には、末広部５が形成する。先細部４と末広部５とは、円錐状に形成され、２個の円錐の底面を連設したような形状で上記本体１の下端部に付設する。本体１は、横断面を非円形状に形成し、また、その外側部には、縦溝６を形成する。【選択図】図１
2008075312.tif 000002
【特許請求の範囲】
【請求項１】
棒状の本体（１）に先細部（４）が形成された天端出し補助具において、上記本体（１）には、さらに末広部（５）が形成されていることを特徴とする天端出し補助具。
【請求項２】
上記先細部（４）と末広部（５）とは、円錐状に形成され、２個の円錐の底面を連設したような形状で上記本体（１）の下端部に付設されていることを特徴とする請求項１の天端出し補助具。
【請求項３】
上記本体（１）は、横断面を非円形状に形成していることを特徴する請求項１又は請求項２の天端出し補助具。
【請求項４】
上記本体（１）の外側部には、縦溝（６）を形成していることを特徴とする請求項１〜請求項３のいずれかの天端出し補助具。
【発明の詳細な説明】
【技術分野】
【０００１】
この発明は、建築物のコンクリート基礎、床コンクリート、土間コンクリートなどの各種の現場打ちコンクリートに使用される天端出し補助具に関するものである。
【背景技術】
【０００２】
従来、基礎コンクリートの現場打ち工法においては、まず、型枠内にコンクリートを打設した後、さらにその天端面にレベラー（天端ならし材）を流し込んで、基礎コンクリート全体の天端を均一な面にすることが行われている。その際、前記打設コンクリートに釘を打ち込んで、この釘の上端を基準として、その上端までレベラーを流し込んで天端レベルを設定できるようにしている。
【０００３】
上記のように、従来においては、打設したコンクリート面に釘を打ってレベル出しを行っているが、釘を打ち込むためには、釘を保持できる程度まで固まった状態で、しかも、コンクリートが完全に硬化する前に行う必要があり、施工時間が限られるという欠点がある。また、このように釘を用いる場合には、コンクリートの保持力が弱いために、釘の打込み、レベル調整終了後に、釘が沈んだり斜めに倒れたりして、調整したレベルが狂ってしまうおそれがある。そこで、このような不具合を解消するため、各種の天端出し補助具が提案されている（例えば、特許文献１、特許文献２参照）。
【特許文献１】特許第３２３３１７９号公報
【特許文献２】特許第３２７９７８８号公報
【発明の開示】
【発明が解決しようとする課題】
【０００４】
ところで、従来の各種天端出し補助具においては、いずれもその先端部が、コンクリートへの挿入の容易さを考慮して先鋭に形成されている。しかしながら、従来の天端出し補助具においては、先端部を先鋭にしてあることに起因して、補助具自体がコンクリートに押し上げられてしまうという不具合が生じている。
【０００５】
その原因について、図８（ａ）に基づいて説明する。同図において、５１は天端出し補助具であり、Ｋはコンクリートを示している。このコンクリートＫは、その硬化過程において次第に収縮し、天端出し補助具５１は、この収縮力によって周囲から押圧される。そうすると、補助具５１の先端部は、下方ほど径小になるテーパ部５２として形成されているので、このテーパ部５２に対して上方への押し上げ力が作用する。そのため、天端出し補助具５１は、コンクリートの硬化、収縮に連れて上方へと押し上げられ、この結果、天端出し補助具５１は、調整したレベルを維持し得なくなってしまうという不具合が生じるのである。
【０００６】
この発明は、上記従来の欠点を解決するためになされたものであって、その目的は、コンクリートの硬化、収縮に起因する押し上げ現象を抑制し、そのため調整した天端レベルを正確に維持することが可能な天端出し補助具を提供することにある。
【課題を解決するための手段】
【０００７】
そこで請求項１の天端出し補助具は、棒状の本体１に先細部４が形成された天端出し補助具において、上記本体１には、さらに末広部５が形成されていることを特徴としている。
【０００８】
請求項２の天端出し補助具は、上記先細部４と末広部５とは、円錐状に形成され、２個の円錐の底面を連設したような形状で上記本体１の下端部に付設されていることを特徴としている。
【０００９】
請求項３の天端出し補助具は、上記本体１は、横断面を非円形状に形成していることを特徴している。
【００１０】
請求項４の天端出し補助具は、上記本体１の外側部には、縦溝６を形成していることを特徴としている。
【発明の効果】
【００１１】
請求項１及び請求項２の天端出し補助具によれば、コンクリートの硬化過程において、本体１の下端先細部４には、本体１を押し上げようとする力が作用するが、これとは逆に、末広部５には、本体１を押し下げようとする力が作用する。この結果、上向きの力と下向きの力とが相殺され、天端出し補助具の浮き上がりを抑制でき、そのため調整した天端レベルを正確に維持することが可能となる。この結果、レベラー（天端ならし材）の流し込み高さ（天端レベル）を精度良く設定することが可能となる。
【００１２】
請求項２及び請求項４の天端出し補助具によれば、レベル設定用ビスの高さ調整作業に際して、天端出し補助具を回転させようとする力が作用するが、本体１の横断面を非円形にし、また縦溝を形成してあるので、この回転力は本体１によって受支され、回転変位は抑制されることになる。この結果、レベラー（天端ならし材）の流し込み高さ（天端レベル）を精度良く設定することが可能となる。
【発明を実施するための最良の形態】
【００１３】
次に、この発明の天端出し補助具の具体的な実施の形態について、図面を参照しつつ詳細に説明する。まず、最初に、図１〜図４を参照しながら、第１実施形態を説明する。図１は実施形態の斜視図、図２は正面図、図３は背面図、図４は使用状態を示す斜視図である。各図のように、天端出し補助具は、長手棒状の補助具本体１を有しており、この本体１の上端部にレベル設定用ビスの螺号するビス孔２が形成されている。このビス孔２には、後述するように、レベル設定用ビス３が螺合される。また、本体１の下部先端部には、円錐状で先細テーパ状の先細部４が形成されている。このとき、本体１は、その下端部が、先細部４の円錐底面に直接接続されるような態様で先細部４に接続されている。この本体１は、横断面三角形状の棒状のものであって、その断面寸法は、上記円錐の底面に内接する三角形となるように設定されている。また、上記先細部４の上部には、本体１の周囲に、逆円錐状で末広テーパ状の末広部５が形成されている。このように、上記先細部４の上端部には、２個の円錐の底面を互いに接続ような状態で、末広部５が連設され、両者４、５によってテーパ連設部１０形成されると共に、これが本体１の下端部に付設されている。本体１は、上記したように円錐の底面に内接する三角形となるように設定されているが、このような寸法、形状を採用しているのは、天端出し補助具を合成樹脂を一体成形して製造する際の容易さを考慮したためである。
【００１４】
上記実施形態の天端出し補助具は、図４示すように、レベル設定用ビス３を螺合した状態で、適当な長さがコンクリート中に埋設されて使用される。すなわち、ビス３の頭部が、所定のレベルに位置するように調整され、このレベルを高さ目標としてレベラー（天端ならし材）が流し込まれるのである。このとき、コンクリートの硬化過程において、本体１の下端の先細部４には、図８（ａ）を参照して説明した通り、本体１を押し上げようとする力が作用する。しかしながら、上記実施形態においては、図８（ｂ）に示すように、上記押し上げ力と共に、さらに末広部５には、本体１を押し下げようとする力が作用する。この結果、上向きの力と下向きの力とが相殺され、天端出し補助具の浮き上がりを抑制でき、そのため調整した天端レベルを正確に維持することが可能となる。また、上記レベル設定用ビス３の高さ調整作業に際して、天端出し補助具を回転させようとする力が作用するが、本体１の横断面を三角形状にしてあるので、この回転力は本体１によって受支され、回転変位は抑制されることになる。これらの結果、上記天端出し補助具によれば、レベラー（天端ならし材）の流し込み高さ（天端レベル）を精度良く設定することが可能となる。
【００１５】
図５〜図７には、天端出し補助具の第２実施形態を示している。図５は正面図、図６は側面図、図７は平面図である。この実施形態は、本体１の形状を変更したものである。すなわち、この実施形態では、本体１の横断面形状を楕円状にし、また、その外周部（外側部）に縦溝６が形成されている。なお、テーパ連設部１０の形状は、上記第１実施形態のものと略同様である。この実施形態においては、天端出し補助具を回転させようとする力を、本体１の横断面を楕円形にし、また、縦溝６によって受支し、回転変位を抑制しようとするものである。
【００１６】
以上にこの発明の具体的な実施の形態について説明したが、この発明は上記形態に限定されるものではなく、この発明の範囲内で種々変更して実施することができる。例えば、上記においては、末広部５と先細部４とを連設しているが、これらは離間させて設けてもよい。この際、末広部５は、本体１の上部位置に設けることもできる。また、先細部４は本体１の先端と同一のものであるとして記載しているが、先細部４は先端部とは別に、すなわち本体１の中間部分に形成してもよい。さらに、先細部４と末広部５との上下を逆にしてもよい。
【図面の簡単な説明】
【００１７】
【図１】この発明の天端出し補助具の第１実施形態の斜視図である。
【図２】上記第１実施形態の正面図である。
【図３】上記第１実施形態の背面図である。
【図４】上記第１実施形態の使用状態を示す斜視図である。
【図５】この発明の天端出し補助具の第２実施形態の正面図である。
【図６】上記第２実施形態の側面図である。
【図７】上記第２実施形態の平面図である。
【図８】コンクリート中において、天端出し補助具に作用する力を説明するためのものであって、（ａ）は従来の説明図、（ｂ）は実施形態での説明図である。
【符号の説明】
【００１８】
１・・本体、２・・ビス孔、３・・レベル設定用ビス、４・・先細部、５・・末広部、６・・縦溝、１０・・テーパ連設部
【図１】
2008075312.tif 000003
【図２】
2008075312.tif 000004
【図３】
2008075312.tif 000005
【図４】
2008075312.tif 000006
【図５】
2008075312.tif 000007
【図６】
2008075312.tif 000008
【図７】
2008075312.tif 000009
【図８】
2008075312.tif 000010